(57)【要約】【課題】個人情報等のユニーク情報が情報カードの多く（通常はすべて）にあらかじめ設けられたカード体ブックを提供すること。【解決手段】１枚のシート状基材１１の所定領域を３区画以上に区画し、各区画における表裏面の少なくとも一面にはそれぞれ折畳み方に応じたユニーク情報Ａ１〜Ａ８を設け、このようなシート状基材１１の２種類以上を所定の順序で重ね合わせた状態で丁合しながら所定領域毎にシートカットし、次いでシートカットして所定の順序で積み重ねられたシート状基材１１を１枚ずつ折機にて所定の形状に折り畳み、さらに順序を崩さずに積み上げてブロック状にし、これを最終形態に応じて少なくとも一つの端部を一括カットしてブック状とすることで形成する。【選択図】図１
2005049607.tif 000002
【特許請求の範囲】
【請求項１】
１枚のシート状基材の所定領域を３区画以上に区画し、各区画における表裏面の少なくとも一面にはそれぞれ折畳み方に応じたユニーク情報を設け、このようなシート状基材の２種類以上を所定の順序で重ね合わせた状態で丁合しながら所定領域毎にシートカットし、次いでシートカットして所定の順序で積み重ねられたシート状基材を１枚ずつ折機にて所定の形状に折り畳み、さらに順序を崩さずに積み上げてブロック状にし、これを最終形態に応じて少なくとも一つの端部を一括カットしてブック状とすることによって形成されることを特徴とするカード体ブック。
【請求項２】
１枚のシート状基材の所定領域を３区画以上に区画し、各区画における表裏面の少なくとも一面にはそれぞれ折畳み方に応じたユニーク情報を設け、このようなシート状基材の２種類以上を所定の順序で重ね合わせた状態で丁合しながら所定領域毎にシートカットし、次いでシートカットして所定の順序で積み重ねられたシート状基材を１枚ずつ折機にて所定の形状に折り畳み、さらに順序を崩さずに積み上げてブロック状にし、これを最終形態に応じて少なくとも一つの端部を一括カットしてブック状とすることを特徴とするカード体ブックの製造方法。
【請求項３】
請求項２に記載のカード体ブックの製造方法において、所定の順序で重ね合わせられるシート状基材のうち、最上面又は最下面に位置するシート状基材として、端部をカットしてブック状とする際に目視により他のシート状基材と判別できるような色や厚みといった物理的差異を有するシート状基材を使用し、端部を一括カットした後で、物理的差異により仕分けて個々のカード体ブックに分割することを特徴とするカード体ブックの製造方法。
【請求項４】
請求項２に記載のカード体ブックの製造方法において、所定の順序で重ね合わせられるシート状基材の一部に機械読取りが可能な番号を設けておき、端部を一括カットした後で、その番号により仕分けて個々のカード体ブックに分割することを特徴とするカード体ブックの製造方法。
【発明の詳細な説明】
【技術分野】
【０００１】
本発明は、業者より個人に対して配布されるチラシ、ダイレクトメール等に用いられる印刷物の技術分野に属し、詳しくは、情報カード方式のチラシやダイレクトメールに好適なカード体ブックに関するものである。
【背景技術】
【０００２】
従来、チラシやダイレクトメールに利用される印刷物としては多くの形態のものが存在しており、それらの使用方法もまた様々である。例えば、新聞の折込みチラシや、一般的な封筒を使用して郵送するものがあるし、開封可能な構造を有する二つ折りや三つ折り方式のハガキもある。そして、これらはいずれも一定の費用対効果があるために広く普及している。
【０００３】
また、最近では、情報カード方式のダイレクトメールも利用されている。これは、情報カードとしてのハガキが５０〜１００枚程度積み重ねられた状態で袋に詰められ、その袋詰め状態で郵送又は宅配便で配達されるものである。
【０００４】
この情報カード方式のダイレクトメールは、各ハガキの表面に宛名や個人情報の記入欄と裏面にチラシとなる商品広告欄を有しており、届け先の消費者は、裏面の商品広告欄をパラパラとトランプを配るように見ていき、気に入ったものを抜き出しておいて、同封されている宛名ラベル（通常４枚程度）を表面の個人情報記入欄に貼り込んで申し込む、といったものである。
【発明の開示】
【発明が解決しようとする課題】
【０００５】
上記の情報カード方式は、二つ折りや三つ折り方式のハガキ並の簡便さと、通販カタログに近い情報量ということをターゲットにして開発され、またその効果が認められているものである。しかしながら、ハガキに宛名ラベルを貼り込む必要があることや、同封するラベルの枚数に制約があること（ラベルをハガキと同枚数添付すると大幅なコストアップになる）などから、効果が限定的なものになっている。
【０００６】
特に、ラベルの枚数を越えて申し込む場合は、ラベルとは別に用意された封筒に同封してまとめて送付したりする手間が必要になる。この場合、申込みは一括して行うか、或いは別に申し込む時は自分で記入しなければならない。受取側としても申込み者の記入されていないハガキが封書に同封されてくるため、個人毎に申込み内容を間違えないように注意しないといけないことに加え、転記する手間がかかる。さらに、封筒を使用しない人にとっては、ラベル枚数を増やすにせよ、封筒を同封するにせよ、コスト面の課題よりも環境保護の観点から望ましくないものとなる。
【０００７】
本発明は、このような事情に鑑みてなされたものであり、その目的とするところは、個人情報等のユニーク情報が情報カードの多く（通常はすべて）にあらかじめ設けられたカード体ブックを提供することにある。
【課題を解決するための手段】
【０００８】
上記の目的を達成するため、本発明のカード体ブックは、１枚のシート状基材の所定領域を３区画以上に区画し、各区画における表裏面の少なくとも一面にはそれぞれ折畳み方に応じたユニーク情報を設け、このようなシート状基材の２種類以上を所定の順序で重ね合わせた状態で丁合しながら所定領域毎にシートカットし、次いでシートカットして所定の順序で積み重ねられたシート状基材を１枚ずつ折機にて所定の形状に折り畳み、さらに順序を崩さずに積み上げてブロック状にし、これを最終形態に応じて少なくとも一つの端部を一括カットしてブック状とすることによって形成されることを特徴としている。
【０００９】
また、本発明のカード体ブックの製造方法は、１枚のシート状基材の所定領域を３区画以上に区画し、各区画における表裏面の少なくとも一面にはそれぞれ折畳み方に応じたユニーク情報を設け、このようなシート状基材の２種類以上を所定の順序で重ね合わせた状態で丁合しながら所定領域毎にシートカットし、次いでシートカットして所定の順序で積み重ねられたシート状基材を１枚ずつ折機にて所定の形状に折り畳み、さらに順序を崩さずに積み上げてブロック状にし、これを最終形態に応じて少なくとも一つの端部を一括カットしてブック状とすることを特徴としている。
【００１０】
そして、上記の製造方法において、所定の順序で重ね合わせられるシート状基材のうち、最上面又は最下面に位置するシート状基材として、端部をカットしてブック状とする際に目視により他のシート状基材と判別できるような色や厚みといった物理的差異を有するシート状基材を使用し、端部を一括カットした後で、物理的差異により仕分けて個々のカード体ブックに分割することできる。或いは、所定の順序で重ね合わせられるシート状基材の一部に機械読取りが可能な番号を設けておき、端部を一括カットした後で、その番号により仕分けて個々のカード体ブックに分割することもできる。
【発明の効果】
【００１１】
本発明のカード体ブックは、前述したラベルや封筒といった副資材が不要であり、コスト面や環境面（材料面）で従来の情報カード方式より優れたものとなる。
【００１２】
また、届けられた側にとっては、商品を申し込むのに、一括して注文するかしないかといった悩みから解放され、躊躇することなく申込みができるようになることから、レスポンス率の向上が見込まれる。
【００１３】
さらに、これまでの丁合では、給紙枚数がせいぜい１０〜１５枚程度が限界であったために、少なくともこれを越えて丁合することは極めて困難であった。特に、ハガキ用紙のような厚紙の場合はシートカット機構がロール刃によるロータリー方式であるため、せいぜい８枚程度のカットが限界であった（１枚２００μｍ厚の紙だと８枚で１．５ｍｍを越える厚さとなるため、刃の出入り、受け胴側のクリアランス及び精度との関係に起因）が、本発明によれば、既存の設備を有効活用しながら、８面×８枚で所定のユニーク情報を設けたカード体が最大６４枚程度まで十分に対応可能である。
【発明を実施するための最良の形態】
【００１４】
図１〜７は本発明に係るカード体ブックの一実施例を示すもので、図１は一つのシート状基材に設けるユニーク情報の配置説明図、図２はシート状基材における一つの区画の表裏に設けた印刷の例示を示す説明図、図３〜６はその他のシート状基材に設けるユニーク情報の配置説明図、図７はカード体ブックを作成する手順を示す説明図である。
【００１５】
本実施例では、シート状基材として、両端に搬送用のマージナルパンチを有するフォーム用紙を使用する。そして、そのシート状基材を既存のフォーム印刷機にかけ、所定の印刷を行い、ロール仕上げする。ここでは、図１に示すように、シート状基材１１の所定領域を２段×４列の８区画に区画し、１つの区画が１つの情報カードを構成するように設計してある。そして、各区画の表裏面に所定の印刷を施すとともに、各区画における表裏面の少なくとも一面にユニーク情報Ａ１〜Ａ８を設ける。この場合、次工程での折畳み方に基づき、各区画に印刷とユニーク情報が施される。
【００１６】
図１（ａ），（ｂ）はそれぞれシート状基材１１における所定領域の表面と裏面を示す説明図であり、同図のように、シート状基材１１を各区画の境界線で折り畳んだ時に表側となる面にそれぞれユニーク情報Ａ１〜Ａ８を印刷する。例えば、図１における区画１１ｓの表面と裏面はそれぞれ図２（ａ），（ｂ）に示すようであり、区画１１ｓの表面には宛名が印刷されるとともにユニーク情報としての個人情報が印字され、区画１１ｓの裏面には商品広告が印刷されている。なお、図２（ａ），（ｂ）おいて点線で示す部分は後で断裁する時のカット線ｃを示している。
【００１７】
そして、図１のシート状基材１０と同様にして、図３〜図６に示す如くシート状基材１２〜１５にも同様な印刷を行い、それぞれシート状基材１０と同様の位置にユニーク情報Ｂ１〜Ｂ８，Ｃ１〜Ｃ８，Ｄ１〜Ｄ８，Ｅ１〜Ｅ８を設ける。各シート状基材１２〜１５における所定領域は同じサイズであり、同じ形態である。また、各シート状基材１２〜１５ともロール仕上げする。
【００１８】
次いで、印刷済みのこれら５枚のシート状基材１１〜１５を印字情報に合わせて見当合わせし、糊付けせずに単に積層した状態で丁合しながらシートカットして順に積み重ねる。したがって、積み重なったシートは、５枚ずつ送付先が同一となった状態で順次積層されていることになる。すなわち、個人情報毎（個人毎）にまとまった状態で順次積層されている。
【００１９】
続いて、図７に示すように、シートカットされ所定の順序に積み重なったシート状基材１１〜１５を１枚ずつ折機にて所定の形状に折り畳む。ここでは、図示のように、Ｗ状に折り畳んでからさらに２つ折りすることによって区画サイズに折り畳む。このように折り畳むことで、シート状基材１１はユニーク情報Ａ１〜Ａ８のある面がこの順で上から下に並んだ状態となる。他のシート状基材１２〜１５についても同様である。このようにシート状基材１１〜１５を折り畳んだ後、順序を崩さずに積み上げてブロック状にし、これの周囲４つの端部を断裁機により一括カットしてブック状とする。そして、このブック状としたものを個人毎に分割してカード体ブックが形成される。
【００２０】
この分割に際し、他人との混在を防ぐため、容易に分割できるような工夫が望まれる。最も簡単な方法は、丁合時の最上面又は最下面に色紙を用いるか、或いは、厚みの異なるシート状基材を用いる方法である。この方法によれば、切り落とした後の端面を見ることで、確実に分割することできる。このようにして分割した個人毎のカード体ブックは、袋詰めしてそのまま配送される。
【００２１】
また、この分割を容易にするため、シート状基材の一部に機械読取りが可能な番号を設ける方法もある。具体的には、最上面または最下面に、その他の枚目とは異なる機械読取り用識別記号を設けておき、この識別記号に基づいて、切り落とす前にあらかじめ分割しておく方法である。前述した方法が、切り落としまでは一体化しておき、切り落としてから分割する方法であるのに対し、機械読取り可能な識別記号を設ける方法では、分割してから切り落とすことになる。なお、この方法を応用すれば、折り畳まれ、一体化されたブックの各枚目が間違いなくマッチングされたかどうか、をも同時に確認可能である。
【００２２】
図８〜１１は上記で説明したカード体ブックの変形実施例を示すもので、図８〜１０はシート状基材に設けるユニーク情報の配置説明図、図１１はカード体ブックを作成する手順を示す説明図である。
【００２３】
この実施例に示すカード体ブックは、シート状基材の枚数が３枚であることと、シート状基材の折畳み方が異なる点以外は、先の実施例で説明したのと同じである。すなわち、この実施例では図１１に示すように２つ折りを３回繰り返すことによって区画サイズに折り畳む。したがって、このように折り畳むことでユニーク情報のある区画がこの順で上から並んだ状態となるように、各シート状基材２１〜２３には図８〜図１０に示す配置でそれぞれユニーク情報Ａ１〜Ａ８，Ｂ１〜Ｂ８，Ｃ１〜Ｃ８を設けている。
【００２４】
図１２，１３は本発明に係るカード体ブックの別の実施例を示すもので、図１２はシート状基材に設ける印刷とユニーク情報の配置説明図、図１３はカード体ブックを作成する手順を示す概略説明図である。
【００２５】
図１２（ａ），（ｂ）はそれぞれシート状基材３１における所定領域の表面と裏面を示す説明図であり、同図に示すように、シート状基材３１の所定領域を２段×４列の８区画に区画し、上下２段をペアとして一つの情報カードを構成するように設計してある。そして、図示の如く、各区画の表裏面に所定の印刷（宛先、広告）を施すとともに、上段の区画にそれぞれユニーク情報Ａ１〜Ａ４を設けている。この場合、次工程での折畳み方に基づき、各区画に印刷とユニーク情報が施される。なお、シート状基材は１枚について図示しているが、必要に応じて適宜の枚数とする。
【００２６】
そして、印刷済みのシート状基材を印字情報に合わせて見当合わせし、糊付けせずに、単に所定枚数を積層した状態で丁合しながらシートカットして順に積み上げる。このようにシートカットされ所定の順序に積み重なったシート状基材を１枚ずつ折機にて所定の形状に折り畳む。ここでは、図１３に示すように、上下２段の区画ごとにＷ状に折り畳む。このように折り畳むことで、シート状基材３１はユニーク情報Ａ１〜Ａ４のある面がこの順で上から下に並んだ状態となる。他のシート状基材についても同様である。各シート状基材を折り畳んだ後、順序を崩さずに積み上げてブロック状にし、これの左右両端部を断裁機によりカット線ｃのところで一括カットしてブック状とする。そして、このブック状としたものを個人毎に分割してカード体ブックが形成される。
【００２７】
本実施例のカード体ブックを構成する情報カードは、上下２段となった縦長状のものである。したがって、この情報カードは、届け先の消費者が申込みに際して上部と下部とを切り離し、上部の区画をハガキとして利用し、下部の区画は手元に保管するといった使い方ができる。
【００２８】
図１４，１５は本発明に係るカード体ブックのさらに別の実施例を示すもので、図１４はシート状基材に設ける印刷とユニーク情報の配置説明図、図１５はカード体ブックを作成する手順を示す概略説明図である。
【００２９】
図１４（ａ），（ｂ）はそれぞれシート状基材４１における所定領域の表面と裏面を示す説明図であり、この実施例の場合も、同図に示すように、シート状基材４１の所定領域を２段×４列の８区画に区画し、上下２段をペアとして一つの情報カードを構成するように設計してある。そして、図示の如く、次工程での折畳み方に基づいて、各区画の表裏面に所定の印刷（宛先、広告）を施すとともに、上段の区画にそれぞれユニーク情報Ａ１〜Ａ４を設けている。なお、シート状基材は１枚について図示しているが、必要に応じて適宜の枚数とする。
【００３０】
この実施例では、シートカットされ所定の順序に積み重なったシート状基材を１枚ずつ折機にて折り畳むに際し、図１５に示すように観音開き形状で折り畳む。これにより、シート状基材４１はユニーク情報Ａ１〜Ａ４のある面がこの順で上から下に並んだ状態となる。他のシート状基材についても同様である。各シート状基材を折り畳んだ後、順序を崩さずに積み上げてブロック状にし、図示の如く断裁機によりカット線ｃのところで、すなわち中央の折り部分近傍を除去するように一括カットしてブック状とする。そして、このブック状としたものを個人毎に分割してカード体ブックが形成される。
【００３１】
本実施例のカード体ブックを構成する情報カードは、上下２段となった縦長状のものが左右に繋がった２つ折り形状のものとなる。例えば、一番上のものは、左右見開き状態で、一方はユニーク情報Ａ１が付いた上下２段の情報カード、他方はユニーク情報Ａ２が付いた上下２段の情報カードが組み合わさったものとなる。このカード体ブックの使い方としては、２つ折りの形態にあった種々のアイデアが必要に応じて考えられる。
【産業上の利用可能性】
【００３２】
本発明のカード体ブックは、業者より個人に対して配布されるチラシ、ダイレクトメール等に用いられるほか、住所や電話番号、氏名といったユニーク情報を設けるようなその他の印刷物としても好適に利用することができる。
【図面の簡単な説明】
【００３３】
【図１】一つのシート状基材に設けるユニーク情報の配置説明図である。
【図２】シート状基材における一つの区画の表裏に設けた印刷の例示を示す説明図である。
【図３】その他のシート状基材に設けるユニーク情報の配置説明図である。
【図４】その他のシート状基材に設けるユニーク情報の配置説明図である。
【図５】その他のシート状基材に設けるユニーク情報の配置説明図である。
【図６】その他のシート状基材に設けるユニーク情報の配置説明図である。
【図７】カード体ブックを作成する手順を示す説明図である。
【図８】シート状基材に設けるユニーク情報の配置説明図である。
【図９】シート状基材に設けるユニーク情報の配置説明図である。
【図１０】シート状基材に設けるユニーク情報の配置説明図である。
【図１１】カード体ブックを作成する手順を示す説明図である。
【図１２】シート状基材に設ける印刷とユニーク情報の配置説明図である。
【図１３】カード体ブックを作成する手順を示す概略説明図である。
【図１４】シート状基材に設ける印刷とユニーク情報の配置説明図である。
【図１５】カード体ブックを作成する手順を示す概略説明図である。
【符号の説明】
【００３４】
１１  シート状基材
１１ｓ  区画
１２〜１５  シート状基材
２１〜２３  シート状基材
３１  シート状基材
４１  シート状基材
Ａ１〜Ａ８  ユニーク情報
Ｂ１〜Ｂ８  ユニーク情報
Ｃ１〜Ｃ８  ユニーク情報
Ｄ１〜Ｄ８  ユニーク情報
Ｅ１〜Ｅ８  ユニーク情報
ｃ  カット線
【図１】
2005049607.tif 000003
【図２】
2005049607.tif 000004
【図３】
2005049607.tif 000005
【図４】
2005049607.tif 000006
【図５】
2005049607.tif 000007
【図６】
2005049607.tif 000008
【図７】
2005049607.tif 000009
【図８】
2005049607.tif 000010
【図９】
2005049607.tif 000011
【図１０】
2005049607.tif 000012
【図１１】
2005049607.tif 000013
【図１２】
2005049607.tif 000014
【図１３】
2005049607.tif 000015
【図１４】
2005049607.tif 000016
【図１５】
2005049607.tif 000017